(57)【要約】【課題】各種植物が植栽もしくは収容される鉢本体に人形的感覚の装飾が施されて、鉢本体に十分な意匠的効果を持たせることが可能な装飾鉢を提供する。【解決手段】底面と外周面を有し上面開口部から内部に各種植物が植栽もしくは収容可能な鉢本体と、帯状の固着部及び該固着部の下部に連設されたスカートもしくはドレス等の衣服形状を呈する装飾部を有し、その固着部が鉢本体の外周面上部に接着剤を介して固着されて、装飾部が鉢本体の高さ方向の略全域に亘って該鉢本体の外周面外側を覆って隠蔽する装飾部材と、を備えることを特徴とする。前記装飾部材は、装飾部の内側に配設されて該装飾部の形状を保持可能な形状保持部材や、固着部の外側に配設されて該固着部を外側から覆う目隠し部材を有する。【選択図】  図１
2012055215.tif 000002
【特許請求の範囲】
【請求項１】
底面と外周面を有し上面開口部から内部に各種植物が植栽もしくは収容可能な鉢本体と、帯状の固着部及び該固着部の下部に連設されたスカートもしくはドレス等の衣服形状を呈する装飾部を有し、前記固着部が前記鉢本体の外周面上部に接着剤を介して固着されて、前記装飾部が鉢本体の高さ方向の略全域に亘って該鉢本体の外周面外側を覆って隠蔽する装飾部材と、を備えることを特徴とする装飾鉢。
【請求項２】
前記装飾部材は、前記装飾部の内側に配設されて該装飾部の形状を保持可能な形状保持部材と、前記固着部の外側に配設されて該固着部を外側から覆う目隠し部材の少なくとも一方を有することを特徴とする請求項１に記載の装飾鉢。
【請求項３】
前記接着剤としての水溶性接着剤、油性接着剤及び熱硬化性樹脂接着剤が、前記装飾部材の各固着部位に応じて使用されることを特徴とする請求項１または２に記載の装飾鉢。
【発明の詳細な説明】
【技術分野】
【０００１】
本発明は、例えば生花や造花等の各種植物が鉢本体内に植栽もしくは収容されて、結婚式の引き出物や各種祝いの贈答品、各種会場における装飾品、あるいは土産等としても使用可能な装飾鉢に関する。
【背景技術】
【０００２】
従来、花や鑑賞植物等を植栽する植木鉢や、切り花や造花等を収容する花受け、花籠、花瓶等（これらを総称して植栽鉢いう）に装飾を施したものとしては、例えば特許文献１に開示の植栽鉢が提案されている。この植栽鉢は、鉢本体の底面と外周面を包む不織布からなる装飾シートと、この装飾シートを鉢本体に固定するために当該装飾シートにその開口を絞るような状態で装飾される不織布からなる帯環とを備え、帯環にその幅方向所定位置において内径を伸縮させる帯状ゴム等からなる内径伸縮手段を設けると共に、この帯環に造花等の装飾部材を取り付けるようにしたものである。
【先行技術文献】
【特許文献】
【０００３】
【特許文献１】特開２００７−２８９１４号公報
【発明の概要】
【発明が解決しようとする課題】
【０００４】
しかしながら、このような植栽鉢にあっては、鉢本体の外周面や底面を所定図柄が印刷等された装飾シートで包むと共に、その装飾シートの上部に造花等の装飾部材を有する帯環を単に取り付けた構造であるため、鉢本体が装飾シートと装飾部材で装飾されるものの、装飾部材は鉢本体の上部の帯環に取り付けられるに過ぎず、植栽鉢があくまで包装された「鉢」としてしか視認されず、植栽鉢の装飾効果（意匠的効果）を十分に高めることが難しい。
【０００５】
本発明は、このような事情に鑑みてなされたもので、その目的は、各種植物が植栽もしくは収容される鉢本体に人形的感覚の装飾が施されて、鉢本体に十分な意匠的効果を持たせることが可能な装飾鉢を提供することにある。
【課題を解決するための手段】
【０００６】
かかる目的を達成すべく、本発明のうち請求項１に記載の発明は、底面と外周面を有し上面開口部から内部に各種植物が植栽もしくは収容可能な鉢本体と、帯状の固着部及び該固着部の下部に連設されたスカートもしくはドレス等の衣服形状を呈する装飾部を有し、前記固着部が前記鉢本体の外周面上部に接着剤を介して固着されて、前記装飾部が鉢本体の高さ方向の略全域に亘って該鉢本体の外周面外側を覆って隠蔽する装飾部材と、を備えることを特徴とする。
【０００７】
また、請求項２に記載の発明は、前記装飾部材が、前記装飾部の内側に配設されて該装飾部の形状を保持可能な形状保持部材と、前記固着部の外側に配設されて該固着部を外側から覆う目隠し部材の少なくとも一方を有することを特徴とする。また、請求項３に記載の発明は、前記接着剤としての水溶性接着剤、油性接着剤及び熱硬化性樹脂接着剤が、前記装飾部材の各固着部位に応じて使用されることを特徴とする。
【発明の効果】
【０００８】
本発明のうち請求項１に記載の発明によれば、装飾部材の固着部が鉢本体の外周面上部に接着剤で固着されて、固着部の下部に連設された装飾部が鉢本体の高さ方向の略全域に亘って該鉢本体の外周面外側を覆って隠蔽するため、スカートやドレス等の衣服形状を呈する装飾部材により、鉢本体に人形的感覚の装飾が施されて、鉢本体を単なる鉢ではなく装飾品として視認させることができる等、各種植物が植栽もしくは収容可能な鉢本体に十分な意匠的効果を持たせることができる。
【０００９】
また、請求項２に記載の発明によれば、請求項１に記載の発明の効果に加え、装飾部材が装飾部の内側に配設されて該装飾部の形状を保持可能な形状保持部材と、固着部の外側に配設されて該固着部を外側から覆う目隠し部材の少なくとも一方を有するため、形状保持部材が人形の胴体もしくは下着として機能し、装飾部の形状の崩れを防止して、装飾部材が衣服としての形状を良好に維持することができたり、目隠し部材で、例えば固着部等が外部から視認されないように目隠しすることができる等、装飾鉢の意匠的効果を一層高めることができる。
【００１０】
さらに、請求項３に記載の発明によれば、請求項１または２に記載の発明の効果に加え、接着剤としての水溶性接着剤、油性接着剤及び熱硬化性樹脂接着剤が、装飾部材の各固着部位に応じて使用されるため、例えば形状保持部材の固着を安価で取り扱いが容易な水溶性接着剤で行い、装飾部の固着用に接着剤が外側に染み出し難い油性接着剤を使用する等、固着部位に応じて最適な接着剤を使用できて、装飾部材をその意匠的効果を損なうことなく鉢本体に確実に固着すること等ができる。
【図面の簡単な説明】
【００１１】
【図１】本発明に係わる装飾鉢の一実施形態を示す斜視図
【図２】同その装飾鉢と植栽鉢を分解した斜視図
【図３】同装飾部材の一例を示す一部破断した正面図
【図４】同鉢本体と装飾部材の縦断面図
【図５】同図４のＡ部の拡大図
【図６】同装飾部材の固着構造の変形例を示す図５と同様の拡大図
【図７】同装飾鉢の変形例を示す図４と同様の縦断面図
【図８】同装飾鉢の他の変形例を示す図４と同様の縦断面図
【図９】同装飾鉢のさらに他の変形例を示す図４と同様の縦断面図
【図１０】同装飾鉢のさらに他の変形例を示す図
【図１１】同装飾鉢のさらに他の変形例を示す図
【発明を実施するための形態】
【００１２】
以下、本発明を実施するための形態を図面に基づいて詳細に説明する。
図１〜図５は、本発明に係わる装飾鉢の一実施形態を示している。図１及び図２に示すように、装飾鉢１は、内部に例えば蘭の生花１１が植栽された植栽鉢１０が出し入れ可能に収容配置される鉢本体２と、この鉢本体２の外周面２ａ外側を覆うように鉢本体２に取り付けられた装飾部材３を備えている。前記鉢本体２は、有底略円筒状に形成されて、外周面２ａと上面に開口部２ｂを有して底面２ｃが閉塞されると共に、底面２ｃの外径が開口部２ｂの外径に対して小径に形成されている。
【００１３】
前記装飾部材３は、図１及び図３に示すように、全体形状が、所定柄で例えば不透明なレース等の柔らかな布の縫製により衣服としてのスカート形状（もしくはドレス形状）に形成され、その上部に設けられた布製の所定幅の帯状の固着部３ａと、この固着部３ａの下部に連設された布製の装飾部３ｂと、装飾部３ｂの内側に配設された形状保持部材３ｃと、固着部３ａの外側に配設された目隠し部材３ｄ等を有している。
【００１４】
前記固着部３ａと装飾部３ｂは、縫製等により一体的に結合されており、固着部３ａの長さは、鉢本体２の外周面２ａ上部の円周方向の長さと略同一か若干長くように設定されている。また、前記形状保持部材３ｃは、例えば柔らかな布に樹脂（例えば酢酸塩ビ樹脂）を含浸・乾燥させた硬質布で形成されると共に、図３に示すように、所定幅位置に複数の折り畳み状の折り目４を設けることで、その全体形状が所定に維持されるようになっている。なお、形状保持部材３ｃの全体形状は、後述する如く鉢本体２に取り付けた際に、人形の胴体や下着の機能を有するように設定されて、その丈は、例えばその下端部が前記鉢本体２の底面２ｃより若干上方に位置して設置台５（図４参照）に接触しないように設定されている。
【００１５】
また、前記目隠し部材３ｄは、後述する方法で装飾部材３が鉢本体２に固着された際に、固着部３ａ部分を外側から覆って目隠しすると共に衣服用のベルトをイメージするもので、その材質は後述する接着剤が表裏面で浸透しない適宜の布等で形成され、その丈は、固着部３ａが外部から視認されない寸法に設定されている。なお、装飾部材３の装飾部３ｂの丈は、鉢本体２の高さより所定寸法大きく設定されて、装飾鉢２を前記設置台５上に設置した際に、その下端が該設置台５上に接触状態で載置されるようになっている。
【００１６】
そして、この装飾部材３は、図４及び図５に示すように、接着剤６ａ、６ｂと両面テープ６ｃ等によって鉢本体２の外周面２ａの上部に巻回状態で固着されている。すなわち、装飾部材３の形状保持部材３ｃの上部の固着部３ｃ１が、鉢本体２の外周面２ａの上部に水溶性の接着剤６ａによって固着されている。このとき、形状保持部材３ｃの固着部３ｃ１は、鉢本体２の外周面２ａに両面テープ６ｃで仮止めされた状態で接着剤６ａによって固着されている。
【００１７】
また、鉢本体２に固着された形状保持部材３ｃの固着部３ｃ１の外側（表面側）に、前記固着部３ａが水溶性の接着剤６ａにより固着され、さらに、この固着部３ａの外側に、目隠し部材３ｄの下部固着部３ｄ２が油性の接着剤６ｂによって固着されると共に、上部固着部３ｄ１が鉢本体２に油性の接着剤６ｂによって固着されている。これにより装飾部材３の固着部３ａが、形状保持部材３ｃの固着部３ｃ１と目隠し部材３ｄの下部固着部３ｄ２が重ね合わせ状態（積層状態）で、鉢本体２の外周面２ａの上部に固着されている。このとき、装飾部材３の外部に露出する部材である目隠し部材３ｄと固着部３ａの固着に、油性の接着剤６ｂが使用されているため、接着剤６ｂの外部への染み出し等が防止されるようになっている。なお、目隠し部材３ｄの固着は、上部固着部３ｄ１のみを接着剤６ｂ（もしくは接着剤６ａ）を使用して固着しても良い。
【００１８】
なお、装飾部材３の固着構造は、以上の例に限定されず、例えば図６に示すように固着しても良い。すなわち、図６（ａ）は、固着部３ａと形状保持部材３ｃの固着部３ｃ１と目隠し部材３ｄの下部固着部３ｄ２を糸７で縫製して３つの部材を一体化して、形状保持部材３ｃの固着部３ｃ１を水溶性の接着剤６ａで鉢本体２の外周面２ａに固着すると共に、目隠し部材３ｄの上部固着部３ｄ１を油性の接着剤６ｂで鉢本体２の外周面２ａに固着したものである。
【００１９】
また、図６（ｂ）は、糸７の縫製で固着部３ａと形状保持部材３ｃの固着部３ｃ１及び目隠し部材３ｄの下部固着部３ｄ２を一体化し、形状保持部材３ｃの固着部３ｃ１を鉢本体２の外周面２ａに水溶性の接着剤６ａで固着すると共に、目隠し部材３ｄの上端固着部３ｄ１を鉢本体２の外周面２ａの外側から内側に掛けて鉢本体２の上端を覆うように油性の接着剤６ｂで固着したものである。
【００２０】
なお、以上の固着構造においては、形状保持部材３ｃの固着部３ｃ１を、水溶性の接着剤６ａで固着したが、例えば後述する熱硬化性樹脂接着剤６ｄを使用しても良いし、両面テープ６ｃを用いることなく固着することもできる。また、接着剤６ａ、６ｂ等と各種テープを併用して固着する等、装飾部材３が鉢本体２から安易に離脱できない接着剤６ａ、６ｂ、６ｄ等を使用した各種固着構造を採用すれば良い。
【００２１】
次に、前記装飾鉢１の使用方法の一例について説明する。先ず、所望の衣服形状を呈する装飾部材３で装飾された装飾鉢１と、該装飾鉢１の大きさに対応した形状の、例えば蘭の生花１１が植栽された植栽鉢１０を準備する。このとき、植栽鉢１０は、図２及び図４に示すように、外周面１０ａと鍔部１０ｄを有する開口部１０ｂ及び底面１０ｃを有し、底面１０ｃには複数の水抜き孔１２が形成されている。
【００２２】
また、植栽鉢１０は、装飾鉢１と同様に、底面１０ｃの外径が開口部１０ｂの外径より小さく設定されると共に、鍔部１０ｄの大きさ（外径）が、植栽鉢１０を装飾鉢１に収容配置した際に、図４に示すように、鍔部１０ｄの外周縁が装飾鉢１の鉢本体２の外周面２ａの上部内面に当接して、植栽鉢１０の底面１０ｃと装飾鉢１の鉢本体２の底面２ｃ間に、所定高さの空間１３（水収容部）が形成されるようになっている。
【００２３】
そして、設置台５上に設置した装飾鉢１に、図２の矢印イの如く開口部２ｂから植栽鉢１０を嵌挿することにより、図１に示すような植栽鉢１０がセットされた装飾鉢１を得ることができる。この装飾鉢１と植栽鉢１０の設置状態において、植栽鉢１０に給水される水は、植栽鉢１０の水抜き孔１２から装飾鉢１の鉢本体２の底面２ｃ上の空間１３内に排水され、設置台５上等への水漏れが防止される。これにより、植栽鉢１０に従来にない人形的感覚の装飾が施された状態となり、例えば結婚式場のパーティ会場やホテルやレストラン等の適宜位置に設置されて使用される。
【００２４】
なお、この使用方法は一例であって、例えば装飾鉢１自体を結婚式の引き出物用、出産、入学、卒業、就職、還暦、開店、周年等の各種お祝い用、あるいは各種プレゼント、お土産等として使用することもでき、これらの場合、装飾鉢１は使用人が鉢本体２の内部に所望の植物等を収容して使用することになる。
【００２５】
このように、前記装飾鉢１によれば、装飾部材３の固着部３ａが鉢本体２の外周面２ａ上部に接着剤６ａ、６ｂ等で固着されて、固着部３ａの下部に連設された装飾部３ｂが鉢本体２の高さ方向の略全域に亘って該鉢本体２の外周面２ａ外側を覆って隠蔽しているため、スカートやドレス等の衣服形状を呈する装飾部材３により、鉢本体２に人形的感覚の装飾が施されて、鉢本体２を単なる鉢ではなく装飾品として視認させることができる等、各種植物等が植栽もしくは収容可能な鉢本体２に十分な意匠的効果を持たせることができる。
【００２６】
また、装飾部材３が装飾部３ｂの内側に配設されて該装飾部３ｂの形状を保持可能な形状保持部材３ｃを有するため、形状保持部材３ｃが人形の胴体もしくは下着として機能し、装飾部３ｂの形状の崩れを防止して、装飾部材３が衣服としての形状を良好に維持することができる。また、装飾部材３の固着部３ａの外側に、固着部３ａ部分を外側から覆う目隠し部材３ｃが配設されているため、装飾部材３の鉢本体２への固着部分を目隠し部材３ｄで、例えば固着部３ａから染み出した接着剤６が外部から視認されないように目隠しすることができる。これらにより、装飾部材３の鉢本体２への固着部分に良好な固着状態が得られて、その意匠的効果を一層高めることができる。
【００２７】
さらに、接着剤としての水溶性の接着剤６ａや油性の接着剤６ｂ等が、装飾部材３の各固着部に応じて使用されるため、例えば形状保持部材３ｃの固着部３ｃ１の固着を安価で取り扱いが容易な水溶性の接着剤６ａで行い、固着部３ａ、３ｄ１、３ｄ２の固着に接着剤が外側に染み出し難い油性の接着剤６ｂを使用する等、固着部３ａ、３ｃ１、３ｄ１、３ｄ２に応じて最適な接着剤６ａ、６ｂを使用することができて、装飾部材３を、その意匠的効果を損なうことなく鉢本体２の外周面２ａに確実に固着することができる。
【００２８】
また、固着部３ａと形状保持部材３ｃの固着部３ｃ１及び目隠し部材３ｄの下部固着部３ｄ２が、接着剤６ａ、６ｂ等により一体となって鉢本体２の外周面２ａに固着されるため、所定の接着剤６ａ、６ｂを使用することにより、３つの部材を鉢本体２に一体的に固着できて、装飾部材３の鉢本体２への固着構造を簡略化させることができる。また、固着部３ａと形状保持部材３ｃ及び目隠し部材３ｄを糸７で縫製して一体化し、例えば目隠し部材３ｄや形状保持部材３ｃの上部を鉢本体２に接着剤６ａ、６ｂ等で固着するようにすれば、３つの部材の一体化を簡単かつ確実に行うことができると共に、接着剤６ａ、６ｂ等による固着作業が容易となり、装飾鉢１を安価に製造することができる。
【００２９】
また、前記装飾鉢１の鉢本体２の大きさに対応し、底面１０ｃに水抜き孔１２が設けられた植栽鉢１０を装飾鉢１にセットするようにすれば、給水が必要な蘭の生花１１が植栽された植栽鉢１０を内鉢として装飾鉢１内に簡単に設置することができる等、装飾鉢１を各種植物の植栽鉢として使用できて、その汎用性を向上させることができる。また同時に、植栽鉢１０に植栽された生花１１の活性化を所定時間維持できて、例えばホテルやレストラン等のロビー等に比較的長い期間設置することが可能となり、従来の生花１１が単に植栽された植栽鉢１０に比較して、設置場所の雰囲気を和らげる等が効果を得ることが可能となる。
【００３０】
図７〜図１１は、前記装飾鉢１の変形例を示している。以下、前記装飾鉢１と同一部位には同一符号を付して説明する。先ず、図７に示す装飾鉢１は、前記装飾部材３の形状保持部材３ｃの丈を、その下端が設置台５の上面に接触するように長くすると共に、鉢本体２内に浅底形状の植栽鉢１０を嵌挿したものである。このとき、植栽鉢１０は、その鍔部１０ｄが外側に延設されて鉢本体２の開口部２ｂの上面上に載置されると共に、鍔部１０ｄの先端により装飾部材３の固着部３ａや目隠し部材３ｄの上方が覆われるようになっている。
【００３１】
また、植栽鉢１０の底面１０ｃには、水が浸透したスポンジや発泡ウレタン等の花差し１４（もしくは針状の花差し）が配置されて、この花差し１４に複数本の生花１１が生けられている。この変形例においても、前記実施形態と同様の作用効果が得られる他に、装飾鉢１を生花用として使用でき、その際、植栽鉢１０の鍔部１０ｄにより、植栽鉢１０自体の装飾鉢１に対するセットや取り出しが容易に行えると共に、固着部３ａや目隠し部材３ｄの上端が植栽鉢１０の鍔部１０ｄで覆われるため、例えば植栽鉢１０への水差し時の水の上方からの垂れによる装飾部材３の汚れ等を防止することができる。
【００３２】
また、図８に示す装飾鉢１は、植栽鉢１０が収納される鉢本体２の下部に、内部に物品２２が収納可能な物品収納容器２０を接着状態で連設し、この物品収納容器２０の外周面２０ａと鉢本体２の外周面２ａの外側を装飾部材３で覆うようにしたものである。すなわち、鉢本体２内に収納される植栽鉢１０を浅底形状に形成し、その鍔部１０ｄを鉢本体２の開口部２ｂの上面上に載置すると共に、物品収納容器２０を、蓋２０ｄが着脱可能にねじ込み（もしくは嵌め込み）される開口部２０ｂが下方に位置し、底面２０ｃが上方に位置するように逆さ状態とする。
【００３３】
そして、鉢本体２の底面２ｃに、物品収納容器２０の底面２０ｃを熱硬化性の樹脂接着剤６ｄで接着固定すると共に、鉢本体２と物品収納容器２０の接着部の外周面に、テープ６ｅを油性接着剤６ｂ（もしくは水溶性接着剤６ａ、あるいは樹脂接着剤６ｄ）により固着する。これにより、鉢本体２と物品収納容器２０が一体化された状態となり、例えば蓋２０ｄの物品収納容器２０への取り外しや取り付けにより、内部の物品収納部２１にお酒の瓶等の物品２２が収納可能となっている。
【００３４】
なお、浅底形状の植栽鉢１０の底面１０ｃには、図７と同様に、水が浸透したスポンジや発泡ウレタン等の花差し１４（もしくは針状の花差し）が配置されて、この花差し１４に複数本の生花１１が生けられるようになっている。この変形例においても、前記実施形態と同様の作用効果が得られる他に、装飾鉢１に物品２２を収納できるため、装飾鉢１を比較的小形とすることで、例えば披露宴でのお酒を物品収納部２１に収納し、この装飾鉢１全体を紙袋に入れたり風呂敷で包んで参列者が持ち帰ることができ、装飾鉢１の使い勝手等を一層向上させることができる。また、装飾鉢１を生花用として使用できると共に、植栽鉢１０の鍔部１０ｄにより、植栽鉢１０自体の装飾鉢１に対するセットや取り出しを容易に行うこともできる。
【００３５】
また、図９に示す装飾鉢１は、鉢本体２内に擬似土１５に造花１６が固定された植栽鉢１０を嵌挿したものである。また、植栽鉢１０は、その鍔部１０ｄが鉢本体２の開口部２ｂの上面に載置されると共に、目隠し部材３が鍔部１０ｄより上方に所定寸法延設されている。前記擬似土１５は、樹脂を再生するために外径数ｍｍ程度の大きさに粉砕された樹脂ペレット１５ａを、接着剤１５ｂで接着固定することにより形成されている。そして、所定の大きさの植栽鉢１０内に、樹脂ペレット１５ａと接着剤１５ｂを所定量充填し、接着剤１５ｂが固化する前に造花１６の茎部を擬似土１５内に差し込むことにより、接着剤１５ｂの固化で擬似土１５と造花１６が植栽鉢１０内に一体化されている。
【００３６】
この図９の変形例においても、前記実施形態と同様の作用効果が得られる他に、使用する樹脂ペレット１５ａの色を、例えば土や砂の色と同色とすることで、擬似土１５を自然の土や砂と認識させることができる。また、植栽鉢１０の内部に所定量の樹脂ペレット１５ａを充填させることにより、接着剤１５ｂで固化した擬似土１５に所定の重量を得ることができることから、自然の土と略同様の感覚が得られて植栽鉢１０が所定の重量となり、その設置や運搬時の安定性を確保することができる。なお、前記擬似土１５は造花１６を完全に固定する堅さに設定されるが、例えば接着剤１５ｂの選定により造花１６が抜き差し可能な堅さに設定することも勿論可能である。
【００３７】
さらに、図１０に示す装飾鉢１は、皿状の鉢本体２を有し、この鉢本体２の外周面２ａの上部に装飾部材３の固着部３ａを形状保持部材３ｃを介して前記接着剤６ａ、６ｂ等で固着したものである。この鉢本体２は、薄底であるため、その底面に花差し８（もしくは針状の花差し）等を配置すれば、この花差し８に切り花等を差して使用することができる。
【００３８】
また、図１１に示す装飾鉢１は、底面２ｃが閉塞され上面の開口部２ｂと底面２ｃの外径が略同一の有底円筒状の鉢本体２を有し、この鉢本体２の外周面２ａの上部に装飾部材３の固着部３ａを前記接着剤６ａ、６ｂ等で固着したものである。このとき、装飾部材３の固着部３ａが、図６（ｂ）の目隠し部材３ｄと同様に、鉢本体２の外周面２ａの外側から内側に掛けて固着されることにより、鉢本体２の開口部２ｂが装飾部材３の固着部３ａ（もしくは目隠し部材３ｄ）で覆われるようになっている。この装飾鉢１の場合は、鉢本体２としてコップや湯飲み等の比較的小型の各種カップ等を使用することができる。
【００３９】
この図１０及び図１１の変形例においては、装飾部材３により各種形状の鉢本体２の外周面２ａの外側全域を覆って隠蔽でき、上記実施形態と同様の作用効果が得られる他に、装飾部材３の高さを鉢本体２の高さと略同一に設定すれば良いため、その大きさを小さくできて、安価な装飾鉢１が得られ、例えば一般家庭等でも気軽に使用できるという作用効果を得ることができる。
【００４０】
なお、本発明は、前記実施形態や各変形例のそれぞれに限定されるものではなく、例えば各例を適宜に組み合わせることもできる。また、装飾鉢２にセットされる植栽鉢１０の形態や該植栽鉢１０に植栽されたり収容される植物も、生花１１や造花１６に限らず、樹木あるいは観葉植物等の全ての各種植物に適用することができる。さらに、前記実施形態においては、装飾部材３の形態をスカート形状もしくはドレス形状としたが、例えば着物や袴等の和服、タキシードやスーツ、各国民族衣装等の形状とすることもできるし、装飾部材３の装飾部３ｂと形状保持部材３ｃの形態も、例えば形状保持部材３ｃを衣服形態とし、装飾部３ｂを透明もしくは半透明な材質で形成してカバー（もしくは防水）機能を有する構成とすることもできる。
【００４１】
また、前記実施形態においては、装飾部材３が形状保持部材３ｃと目隠し部材３ｄを共に有する構成としたが、例えば目隠し部材３ｄや形状保持部材３ｃの一方を省略することもできるし、目隠し部材３ｄにリボンやフリル等の装飾品を設けることもできる。またさらに、前記実施形態における、装飾鉢１の鉢本体２の形状や、その設置形態等も一例であって、例えば装飾鉢１をスタンドを使用して設置したり、吊り下げ式に設置する等、本発明に係わる各発明の要旨を逸脱しない範囲において適宜に変更することができる。
【産業上の利用可能性】
【００４２】
本発明は、生花、植木、鑑賞植物、あるいはこれらの造花や人工鑑賞植物等の各種植物を植栽もしくは収容可能な全ての容器状の装飾鉢に利用することができる。
【符号の説明】
【００４３】
１・・・・・・・・・装飾鉢
２・・・・・・・・・鉢本体
２ａ・・・・・・・・外周面
２ｂ・・・・・・・・開口部
２ｃ・・・・・・・・底面
３・・・・・・・・・装飾部材
３ａ・・・・・・・・固着部
３ｂ・・・・・・・・装飾部
３ｃ・・・・・・・・形状保持部材
３ｃ１・・・・・・・固着部
３ｄ・・・・・・・・目隠し部材
３ｄ１・・・・・・・上部固着部
３ｄ２・・・・・・・下部固着部
４・・・・・・・・・折り目
５・・・・・・・・・設置台
６ａ・・・・・・・・水溶性接着剤
６ｂ・・・・・・・・油性接着剤
６ｃ・・・・・・・・両面テープ
６ｄ・・・・・・・・樹脂接着剤
６ｅ・・・・・・・・テープ
７・・・・・・・・・糸
８・・・・・・・・・花差し
１０・・・・・・・・植栽鉢
１０ａ・・・・・・・外周面
１０ｂ・・・・・・・開口部
１０ｃ・・・・・・・底面
１１・・・・・・・・生花
１２・・・・・・・・水抜き孔
１３・・・・・・・・空間
１５・・・・・・・・擬似土
１５ａ・・・・・・・樹脂ペレット
１５ｂ・・・・・・・接着剤
１６・・・・・・・・造花
２０・・・・・・・・物品収納容器
２０ａ・・・・・・・外周面
２０ｂ・・・・・・・開口部
２０ｃ・・・・・・・底面
２０ｄ・・・・・・・蓋
２１・・・・・・・・物品収納部
２２・・・・・・・・物品
【図１】
2012055215.tif 000003
【図２】
2012055215.tif 000004
【図３】
2012055215.tif 000005
【図４】
2012055215.tif 000006
【図５】
2012055215.tif 000007
【図６】
2012055215.tif 000008
【図７】
2012055215.tif 000009
【図８】
2012055215.tif 000010
【図９】
2012055215.tif 000011
【図１０】
2012055215.tif 000012
【図１１】
2012055215.tif 000013